(57)【要約】【課題】この発明は、記録するタイトルのサイズに応じて、ディスク上における書き込み先を選定することにより、ディスクの記録容量の有効利用を図り得るようにしたディスク記録装置及びディスク記録方法を提供することを目的としている。【解決手段】タイトルの予約記録が要求された状態で、該タイトルを記録する領域のサイズとディスク上の空き領域のサイズとを比較して、タイトルを記録するための空き領域を選定（１７，Ｓ４〜Ｓ８，Ｓ１１）し、タイトルの直接記録が要求された状態で、最大サイズの空き領域をタイトルの記録先として選定（１７，Ｓ４，Ｓ１０，Ｓ１１）する。【選択図】    図１２
2005135489.tif 000002
【特許請求の範囲】
【請求項１】
タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、前記管理テーブル上で、削除されたタイトルのタイトル候補から開始位置及びサイズへの参照を不可とする管理方式に基づいて、ディスクに対するタイトルの記録を行なう装置であって、
前記ディスクから、そこに存在する全ての記録可能な空き領域の開始位置及びサイズを示す情報を取得する取得手段と、
前記ディスクに対してタイトルの予約記録が要求された状態で、該タイトルの記録条件に基づいて必要とする記録領域のサイズを算出する算出手段と、
前記算出手段で算出されたサイズと前記取得手段で取得した空き領域のサイズとを比較して、前記予約記録が要求されたタイトルを記録するための空き領域を選定する第１の選定手段と、
前記ディスクに対してタイトルの直接記録が要求された状態で、前記取得手段で取得した最大サイズの空き領域を、前記直接記録が要求されたタイトルの記録先として選定する第２の選定手段とを具備したことを特徴とするディスク記録装置。
【請求項２】
前記第１の選定手段は、前記ディスクに存在する空き領域のうち、前記算出手段で算出されたサイズより大きいサイズの中で、一番小さいサイズの空き領域を選定することを特徴とする請求項１記載のディスク記録装置。
【請求項３】
前記第１の選定手段は、前記算出手段で算出されたサイズを、前記取得手段で取得した空き領域のサイズの中で小さいサイズから順次比較し、最初に前記算出手段で算出されたサイズ以上になった空き領域を選定することを特徴とする請求項１または２記載のディスク記録装置。
【請求項４】
前記管理方式は、ＤＶＤビデオ規格であることを特徴とする請求項１乃至３いずれかに記載のディスク記録装置。
【請求項５】
タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、前記管理テーブル上で、削除されたタイトルのタイトル候補から開始位置及びサイズへの参照を不可とする管理方式に基づいて、ディスクに対するタイトルの記録を行なう装置であって、
前記ディスクに対してタイトルの予約記録が要求された状態で、該タイトルを記録するために必要となる記録領域のサイズを算出する算出手段と、
前記算出手段で算出されたサイズに基づいて、前記ディスクに存在する空き領域から、前記予約記録が要求されたタイトルを記録するのに適した空き領域を選定する第１の選定手段と、
前記ディスクに対してタイトルの直接記録が要求された状態で、前記ディスクの最大サイズの空き領域を、前記直接記録が要求されたタイトルの記録先として選定する第２の選定手段とを具備したことを特徴とするディスク記録装置。
【請求項６】
タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、前記管理テーブル上で、削除されたタイトルのタイトル候補から開始位置及びサイズへの参照を不可とする管理方式に基づいて、ディスクに対するタイトルの記録を行なう装置であって、
前記ディスクに対してタイトルの予約記録が要求された状態で、前記ディスクに存在する空き領域から、前記予約記録が要求されたタイトルを記録するのに適した空き領域を選定する選定手段を具備したことを特徴とするディスク記録装置。
【請求項７】
タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、前記管理テーブル上で、削除されたタイトルのタイトル候補から開始位置及びサイズへの参照を不可とする管理方式に基づいて、ディスクに対するタイトルの記録を行なう方法であって、
前記ディスクから、そこに存在する全ての記録可能な空き領域の開始位置及びサイズを示す情報を取得する工程と、
前記ディスクに対してタイトルの予約記録が要求された状態で、該タイトルの記録条件に基づいて必要とする記録領域のサイズを算出する工程と、
算出されたサイズと取得した空き領域のサイズとを比較して、前記予約記録が要求されたタイトルを記録するための空き領域を選定する工程と、
前記ディスクに対してタイトルの直接記録が要求された状態で、取得した最大サイズの空き領域を、前記直接記録が要求されたタイトルの記録先として選定する工程とを具備したことを特徴とするディスク記録方法。
【請求項８】
前記予約記録が要求されたタイトルを記録するための空き領域を選定する工程は、前記ディスクに存在する空き領域のうち、算出されたサイズより大きいサイズの中で、一番小さいサイズの空き領域を選定することを特徴とする請求項７記載のディスク記録方法。
【請求項９】
前記予約記録が要求されたタイトルを記録するための空き領域を選定する工程は、
算出されたサイズを取得した空き領域のサイズの中で小さいサイズから順次比較する工程と、
空き領域のサイズのうち最初に算出されたサイズ以上になった空き領域を選定する工程とを具備したことを特徴とする請求項７または８記載のディスク記録方法。
【請求項１０】
前記管理方式は、ＤＶＤビデオ規格であることを特徴とする請求項７乃至９いずれかに記載のディスク記録方法。
【請求項１１】
タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、前記管理テーブル上で、削除されたタイトルのタイトル候補から開始位置及びサイズへの参照を不可とする管理方式に基づいて、ディスクに対するタイトルの記録を行なう方法であって、
前記ディスクに対してタイトルの予約記録が要求された状態で、該タイトルを記録するために必要となる記録領域のサイズを算出する工程と、
算出されたサイズに基づいて、前記ディスクに存在する空き領域から、前記予約記録が要求されたタイトルを記録するのに適した空き領域を選定する工程と、
前記ディスクに対してタイトルの直接記録が要求された状態で、前記ディスクの最大サイズの空き領域を、前記直接記録が要求されたタイトルの記録先として選定する工程とを具備したことを特徴とするディスク記録方法。
【請求項１２】
タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、前記管理テーブル上で、削除されたタイトルのタイトル候補から開始位置及びサイズへの参照を不可とする管理方式に基づいて、ディスクに対するタイトルの記録を行なう方法であって、
前記ディスクに対してタイトルの予約記録が要求された状態で、前記ディスクに存在する空き領域から、前記予約記録が要求されたタイトルを記録するのに適した空き領域を選定する工程を具備したことを特徴とするディスク記録方法。
【発明の詳細な説明】
【技術分野】
【０００１】
この発明は、例えば書き替え可能な光ディスク等に対してタイトルの記録及び削除を行なうディスク記録装置及びディスク記録方法の改良に関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この光ディスクとしては、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、追記可能なＤＶＤ−Ｒ（Recordable）等がある。
【０００４】
ところで、ＤＶＤビデオ規格では、光ディスクの内周側から外周側に向けて、常に、最後に記録されたＤＶＤビデオタイトルに続くように、新たなＤＶＤビデオタイトルが順次記録されていくことになる。この場合、１つのＤＶＤビデオタイトルは、光ディスク上で連続した領域に記録され管理される。
【０００５】
そして、この種の光ディスクにおいて、最後に記録したＤＶＤビデオタイトルが削除された場合には、その削除されたタイトルの前に記録されているＤＶＤビデオタイトルの後から、つまり、削除されたＤＶＤビデオタイトルの記録されていた領域に、次に記録されるＤＶＤビデオタイトルが上書きされることになる。
【０００６】
これに対し、最後に記録したＤＶＤビデオタイトル以外のタイトルが削除された場合には、削除されたタイトルが記録されていた領域は、新たなＤＶＤビデオタイトルの記録に利用されることなく、そのまま空き領域として残るため、光ディスクの記録領域が有効に利用されていないという問題が生じている。
【０００７】
特許文献１には、メモリのデータ領域の中から最大連続空き領域を検索し、その空き領域の中央部に先頭クラスタを設定してデータ記録を行なわせることにより、連続するクラスタへの記録を行なえるようにして、記録及び再生に要する時間を短縮させるようにした構成が開示されている。
【０００８】
しかしながら、この特許文献１では、１つの連続するデータを複数のクラスタに分割して記録し管理する記録手法を前提としており、上記したＤＶＤビデオ規格のように、１つのタイトルをディスク上で連続した領域に記録し管理する記録手法において、ディスクに記録されている複数のタイトルが任意選択的に削除されることにより、ディスク上に不連続に形成された空き領域の有効利用を図ることについては、何らの記載もなされていないものである。
【特許文献１】特開平７−１７５６９１号公報
【発明の開示】
【発明が解決しようとする課題】
【０００９】
そこで、この発明は上記事情を考慮してなされたもので、記録するタイトルのサイズに応じて、ディスク上における書き込み先を選定することにより、ディスクの記録容量の有効利用を図り得るようにしたディスク記録装置及びディスク記録方法を提供することを目的とする。
【課題を解決するための手段】
【００１０】
この発明に係るディスク記録装置は、タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、管理テーブル上で、削除されたタイトルのタイトル候補から開始位置及びサイズへの参照を不可とする管理方式に基づいて、ディスクに対するタイトルの記録を行なう装置である。
【００１１】
そして、ディスクから、そこに存在する全ての記録可能な空き領域の開始位置及びサイズを示す情報を取得する取得手段と、ディスクに対してタイトルの予約記録が要求された状態で、該タイトルの記録条件に基づいて必要とする記録領域のサイズを算出する算出手段と、算出手段で算出されたサイズと取得手段で取得した空き領域のサイズとを比較して、予約記録が要求されたタイトルを記録するための空き領域を選定する第１の選定手段と、ディスクに対してタイトルの直接記録が要求された状態で、取得手段で取得した最大サイズの空き領域を、直接記録が要求されたタイトルの記録先として選定する第２の選定手段とを備えるようにしたものである。
【００１２】
また、この発明に係るディスク記録方法は、タイトル毎の追記及び削除が可能であり、各タイトルをそれぞれ連続した記録領域に記録し、記録された各タイトルを、ファイナライズ処理が施される前に付されるタイトル候補と開始位置及びサイズとを対応させた管理テーブルによって管理するとともに、記録されたタイトルが削除された場合には、その削除された領域を記録可能な空き領域とし、かつ、管理テーブル上で、削除されたタイトルのタイトル候補から開始位置及びサイズへの参照を不可とする管理方式に基づいて、ディスクに対するタイトルの記録を行なう方法である。
【００１３】
そして、ディスクから、そこに存在する全ての記録可能な空き領域の開始位置及びサイズを示す情報を取得する工程と、ディスクに対してタイトルの予約記録が要求された状態で、該タイトルの記録条件に基づいて必要とする記録領域のサイズを算出する工程と、算出されたサイズと取得した空き領域のサイズとを比較して、予約記録が要求されたタイトルを記録するための空き領域を選定する工程と、ディスクに対してタイトルの直接記録が要求された状態で、取得した最大サイズの空き領域を、直接記録が要求されたタイトルの記録先として選定する工程とを備えるようにしたものである。
【発明の効果】
【００１４】
上記した発明によれば、タイトルの予約記録が要求された状態で、該タイトルを記録する領域のサイズとディスク上の空き領域のサイズとを比較して、タイトルを記録するための空き領域を選定し、タイトルの直接記録が要求された状態で、最大サイズの空き領域をタイトルの記録先として選定するようにしている。このように、記録するタイトルのサイズに応じて、ディスク上における書き込み先を選定することにより、ディスクの記録容量の有効利用を図ることが可能となる。
【発明を実施するための最良の形態】
【００１５】
以下、この発明の実施の形態について図面を参照して詳細に説明する。図１は、この実施の形態で説明するディスク記録再生装置を示している。このディスク記録再生装置は、記録媒体としてＤＶＤ−ＲＷを含む光ディスクとハードディスクとの両方を取り扱うことができるものとしているが、記録媒体としては、例えば半導体メモリ等を用いることも可能である。
【００１６】
すなわち、図１に示すディスク記録再生装置は、大きく分けると、図中左側に記録側の主なブロックが存在し、図中右側に再生側の主なブロックが存在し、図中下部に制御側の主なブロックが存在している。
【００１７】
そして、このディスク記録再生装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、このディスク記録再生装置は、第２のメディアとしてのハードディスク１３ａを駆動するＨＤＤ（Hard Disk Drive）部１３を有する。
【００１８】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系等を有する。Ｄ−ＰＲＯ部１４は、記録または再生単位のデータを取り扱うもので、バッファ回路、変調・復調回路、エラー訂正部等を含んでいる。
【００１９】
また、このディスク記録再生装置は、記録側を構成するエンコーダ部１５と、再生側を構成するデコーダ部１６と、装置本体の動作を制御するマイクロコンピュータブロック１７とを、主たる構成要素としている。
【００２０】
エンコーダ部１５は、入力されたアナログビデオ信号及びアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００２１】
エンコーダ部１５の出力は、バッファメモリ１８を含むフォーマッタ１９にて所定のＤＶＤビデオフォーマットに変換され、先のＤ−ＰＲＯ部１４に供給される。
【００２２】
エンコーダ部１５には、Ａ／Ｖ（Audio Video）入力部２０から得られる外部アナログビデオ信号と外部アナログオーディオ信号、または、ＴＶ（Television）チューナ部２１から得られるアナログビデオ信号とアナログオーディオ信号が入力される。
【００２３】
なお、エンコーダ部１５は、圧縮されたデジタルビデオ信号及びデジタルオーディオ信号が直接入力されるときは、この圧縮されたデジタルビデオ信号及びデジタルオーディオ信号を、直接フォーマッタ１９に供給することも可能である。
【００２４】
また、エンコーダ部１５は、アナログデジタル変換されたデジタルビデオ信号及びオーディオ信号を、Ｖ（Video）ミクシング部２２及びオーディオセレクタ２３に直接供給することもできる。
【００２５】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。デジタルオーディオ信号は、ＭＰＥＧまたはＡＣ（Audio Compression）−３規格に基づいて、固定ビットレートで圧縮されたデジタルオーディオ信号、または、リニアＰＣＭ（Pulse Code Modulation）のデジタルオーディオ信号に変換される。
【００２６】
副映像信号がＡ／Ｖ入力部２０から入力された場合（例えば副映像信号の独立出力端子付ＤＶＤビデオプレーヤからの信号等）、または、このようなデータ構成のＤＶＤビデオ信号が放送されそれがＴＶチューナ部２１で受信された場合は、ＤＶＤビデオ信号中の副映像信号が副映像エンコーダでエンコード（ランレングス符号化）されて副映像のビットマップとなる。
【００２７】
エンコードされたデジタルビデオ信号、デジタルオーディオ信号、副映像データは、フォーマッタ１９にてパック化され、ビデオパック、オーディオパック、副映像パックとなり、さらに、これらのパックが集合されて、ＤＶＤビデオ規格［例えばＤＶＤ−ＲＡＭ、ＤＶＤ−ＲＷ、ＤＶＤ−Ｒ等に記録する規格］で規定されたフォーマットに変換される。
【００２８】
ここで、図１に示したディスク記録再生装置は、フォーマッタ１９でフォーマット化された情報（ビデオ、オーディオ、副映像データ等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００２９】
また、ハードディスク１３ａまたは光ディスク１１に記録された情報を、Ｄ−ＰＲＯ部１４及びディスクドライブ部１２を介して、光ディスク１１またはハードディスク１３ａに記録することもできる。
【００３０】
マイクロコンピュータブロック１７は、ＭＰＵ（Micro Processing Unit）１７ａ、メモリ部１７ｂ及びタイマ部１７ｃ等を含んでいる。メモリ部１７ｂは、ＭＰＵ１７ａが実行する制御プログラム等を格納したＲＯＭと、ＭＰＵ１７ａにプログラム実行に必要なワークエリアを提供するためのＲＡＭとを含んでいる。また、タイマ部１７ｃは、予約記録機能等のために使用される。
【００３１】
マイクロコンピュータブロック１７の実行結果のうち、ユーザに通知すべき内容は、ディスク記録再生装置に内蔵の表示部２４に表示されるか、または、外部接続されたモニタディスプレイ２５にＯＳＤ（On Screen Display）表示される。また、マイクロコンピュータブロック１７は、この装置を操作するための操作信号を与えるキー入力部２６を有する。
【００３２】
なお、上記マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）２７からの時間データに基づいて規定することができる。記録や再生の動作は、通常、ＳＴＣ２７からのタイムクロックに同期して実行されるが、それ以外の処理はＳＴＣ２７からのタイムクロックとは独立したタイミングで実行されてもよい。
【００３３】
デコーダ部１６は、パック構造を持つＤＶＤビデオフォーマットの信号から各パックを分離して取り出すセパレータと、パック分離及びその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするＡ（Audio）デコーダとを有する。また、デコードされた主映像にデコードされた副映像を適宜合成し、主映像に、メニュー、ハイライトボタン、字幕及びその他の副映像を重ねて出力するビデオプロセッサを備えている。
【００３４】
デコーダ部１６の出力ビデオ信号は、Ｖミクシング部２２に入力される。Ｖミクシング部２２では、テキストデータの合成が行なわれる。また、Ｖミクシング部２２には、ＴＶチューナ部２１またはＡ／Ｖ入力部２０からの信号を直接取り込むラインも接続されている。
【００３５】
Ｖミクシング部２２には、バッファとして用いるフレームメモリ部２８が接続されている。Ｖミクシング部２２の出力がアナログ出力の場合は、Ｉ／Ｆ（Interface）２９を介して外部に出力され、デジタル出力の場合は、Ｄ／Ａ（Digital／Analog）変換器３０を介して外部のモニタディスプレイ２５に出力される。
【００３６】
デコーダ部１６の出力オーディオ信号は、セレクタ２３を介してＤ／Ａ変換器３１でアナログ変換され、外部接続されたスピーカ３２に出力される。セレクタ２３は、マイクロコンピュータブロック１７からのセレクト信号により制御される。これにより、セレクタ２３は、Ａ／Ｖ入力部２０またはＴＶチューナ部２１からのデジタル信号を直接モニタするとき、エンコーダ部１５をスルーした信号を直接選択することが可能となる。
【００３７】
図２は、ＤＶＤビデオ規格における光ディスク１１のファイルシステム［ＵＤＦ（Universal Disk Format）−ＩＳＯ（International Organization for Standardization）９６６０］及びＤＶＤビデオタイトルの配置図を示している。
【００３８】
ビデオマネージャ［ＶＭＧ（Video Manager）］は、光ディスク１１の全体の再生制御情報を管理するナビゲーションファイル（．ＩＦＯ及び．ＢＵＰ）と、光ディスク１１に記録された唯一のＤＶＤビデオタイトル選択用のメニュー（ＶＭＧメニュー）の実体となる映像／音声／字幕データで構成されるプレゼンテーションファイル（．ＶＯＢ）とから構成される。
【００３９】
一方、ビデオタイトルセット［ＶＴＳ（Video Title Set）］は、タイトル単位の再生制御情報を管理するナビゲーションファイル（．ＩＦＯ及び．ＢＵＰ）と、ビデオタイトルセット毎のメニュー（ＶＴＳメニュー）及びタイトルの実体となる映像／音声／字幕データで構成されるプレゼンテーションファイル（．ＶＯＢ）とから構成される。
【００４０】
ＶＴＳ１を例にとると、ＶＴＳ＿０１＿０．ＶＯＢファイルはＶＴＳ１のＶＴＳメニュー（ＶＴＳＭ）を構成するファイルであり、ＶＴＳ＿０１＿１．ＶＯＢ〜ＶＴＳ＿０１＿９．ＶＯＢはＶＴＳ１を構成するファイルであり、構成ファイル数はタイトルのサイズによる。
【００４１】
１ファイルのサイズは、ＵＤＦブリッジファイルシステムの制限で１ＧＢ（Giga Byte）を超えることはできない。また、ＶＴＳを構成するプレゼンテーションファイルは、物理的に連続に光ディスク１１に記録される必要がある。さらに、ＶＭＧ及びＶＴＳ共に、ナビゲーションファイル及びプレゼンテーションファイルの相対的な位置関係は守られる必要がある。
【００４２】
図３は、複数（図示の場合は３つ）のＤＶＤビデオタイトルＶＴＳ１〜ＶＴＳ３が、光ディスク１１に記録されている状態を示している。複数のＤＶＤビデオタイトルＶＴＳ１〜ＶＴＳ３は、連続して記録される必要はないが、通常、光ディスク１１の内周側から外周側に向けて連続して記録される。
【００４３】
ＤＶＤビデオ規格で規定されるタイトル番号は、ファイナライズ処理（光ディスク１１を再生可能な状態にする処理）が施されるまでは設定されない。このため、ファイナライズ処理が施されるまでは、記録されたＤＶＤビデオタイトルＶＴＳ１〜ＶＴＳ３は、タイトル候補（ＶＴＳ候補）として管理される。つまり、記録された各ＤＶＤビデオタイトルＶＴＳ１〜ＶＴＳ３は、光ディスク１１の内周側から外周側に向けて連番で割り振られたＶＴＳ１〜３候補として管理される。
【００４４】
図４は、タイトル管理テーブルの一例を示している。すなわち、ファイナライズ処理が施されるまでは、ＤＶＤビデオタイトルの追記または削除が可能であるため、ファイルシステムの記録が行なわれない。このため、ＤＶＤビデオタイトルを暫定的に管理するためのテーブルを光ディスク１１上に書き込む必要があるが、この管理テーブルは、各メーカ毎に独自のフォーマットを決めて運用している。
【００４５】
記録先としては、光ディスク１１内の固定位置、または、タイトル単位で管理することになる。管理テーブルには、必要に応じて種々の情報が記録されることになるが、各タイトル候補のエントリが記録される。エントリはファイル（データ）を参照するための情報であり、開始アドレス及びファイルサイズ等が含まれる。また、管理テーブルの管理を容易にするために、間接参照が可能なように参照テーブルが設けられている。
【００４６】
図５（ａ），（ｂ）は、光ディスク１１から記録されている任意のＤＶＤビデオタイトル（ＶＴＳ２）を削除した状態を示している。ＤＶＤビデオタイトルを削除する場合には、そのタイトル内の特定のナビゲーションファイル、または、プレゼンテーションファイルのみが削除されるわけではなく、タイトルを構成する全てのファイルが削除されることになる。
【００４７】
通常、削除は、光ディスク１１上に記録されているデータを消すのではなく、参照テーブルから管理テーブルへの参照をなくすことで対応可能となる。つまり、図５（ａ），（ｂ）に示す例で言えば、ＤＶＤビデオタイトル（ＶＴＳ２）が削除された後は、参照テーブルのＶＴＳ２候補は、元の参照テーブルのＶＴＳ３候補のＤＶＤビデオタイトル（ＶＴＳ３）を参照するようになる。
【００４８】
図６は、ＤＶＤビデオタイトルの記録及び削除を繰り返したときの光ディスク１１内の有効なデータの配置を示している。光ディスク１１上に最後に記録されたＤＶＤビデオタイトルが削除された場合には、その削除されたタイトルの先頭が、次に光ディスク１１に記録するＤＶＤビデオタイトルの記録先として設定される。
【００４９】
また、記録済みのＤＶＤビデオタイトルが複数存在するときに、最後に記録されたＤＶＤビデオタイトル以外のタイトルが削除された場合には、光ディスク１１上に有効なデータ（削除されていないタイトル）が不連続に存在することになる。逆に言うと、光ディスク１１上に使用可能な空き領域が不連続に存在することになる。
【００５０】
図７（ａ），（ｂ）は、光ディスク１１に記録された複数のＤＶＤビデオタイトルの中から、任意のタイトルを削除した場合の管理テーブル及び参照テーブルを示している。参照テーブルは、その先頭から有効な管理テーブルへの参照候補のみ残すように書き替えられる。そして、管理テーブル内の参照テーブルで参照されているタイトル候補を検索することにより、光ディスク１１上に生じている不連続な空き領域の位置及びサイズが把握でき、記録先を管理することが可能となる。
【００５１】
図８は、光ディスク１１上に存在する所定の空き領域に、ＤＶＤビデオタイトルを追記した状態を示している。記録先を決定するには、記録する際の条件と空き容量サイズとを比較して書き込み可能か否かの判断を行なう必要がある。
【００５２】
図９は、ＤＶＤビデオタイトルを追記した後の管理テーブルを示している。タイトルのエントリは、削除されたタイトルが使用していた管理テーブル内の先頭に近いエントリから順に使用する。ＤＶＤビデオタイトル（ＶＴＳ）は、規格で最大９９個まで光ディスク１１内に保持できるので、管理テーブル内のタイトルのエントリは９９個あれば管理可能となる。
【００５３】
今、例えば、図１０に示すように、光ディスク１１上に３つの空き領域が存在し、各空き領域のサイズがｒ４＜ｒ２＜ｒ６なる関係を有しているとする。この場合、予約記録のように、予め、画質、音質及び記録時間等からタイトルの記録に必要な領域サイズがわかる場合と、直接記録のように予め記録条件がわからない場合とで、図１１に示すように、記録先を変更する。
【００５４】
すなわち、予約記録で、タイトルの記録に要求される領域サイズがｗ１である場合、w１とｒ４とを比較してｗ１＜ｒ４であれば、そのタイトルをサイズｒ４の空き領域に記録する。また、w１とｒ４，ｒ２とを比較してｒ４＜ｗ１＜ｒ２であれば、そのタイトルをサイズｒ２の空き領域に記録する。さらに、w１とｒ２，ｒ６とを比較してｒ２＜ｗ１＜ｒ６であれば、そのタイトルをサイズｒ６の空き領域に記録する。
【００５５】
また、直接記録のようにタイトルの記録に要求される領域サイズが予めわからない場合には、光ディスク１１の中で最大のサイズｒ６を有する空き領域に対して記録を行なうように制御する。
【００５６】
図１２は、上記のように、タイトルの記録に要求される領域サイズに応じて、光ディスク１１上でタイトルを記録する空き領域を選定するための動作をまとめたフローチャートを示している。
【００５７】
まず、光ディスク１１へのＤＶＤビデオタイトルの記録が要求されることにより、処理が開始（ステップＳ１）されると、マイクロコンピュータブロック１７は、ステップＳ２で、光ディスク１１に記録されている管理テーブルから、その光ディスク１１内の空き領域の数Ｎ及びそのサイズ等を示す情報を取得する。
【００５８】
そして、マイクロコンピュータブロック１７は、ステップＳ３で、光ディスク１１内の空き領域を、サイズの最も小さい領域Ｅ（０）からサイズの大きい領域Ｅ（ｉ）に順に並べ替えたテーブルを作成し、ステップＳ４で、記録するＤＶＤビデオタイトルが予約記録によって記録されるものであるか否かを判別する。
【００５９】
ここで、記録するＤＶＤビデオタイトルが予約記録によって記録されるものであると判断された場合（ＹＥＳ）、マイクロコンピュータブロック１７は、ステップＳ５で、そのＤＶＤビデオタイトルを記録するのに必要な領域サイズＳを算出し、ステップＳ６で、光ディスク１１の空き領域にサイズの小さい順に付した番号ｉを０に設定する。
【００６０】
その後、マイクロコンピュータブロック１７は、ステップＳ７で、必要な領域サイズＳが空き領域Ｅ（ｉ）のサイズを越えているか否かを判別し、越えていると判断された場合（ＹＥＳ）、ステップＳ８で、番号ｉが光ディスク１１内の空き領域の数Ｎ以上であるか否かを判別する。
【００６１】
そして、番号ｉが光ディスク１１内の空き領域の数Ｎ以上でないと判断された場合（ＮＯ）、マイクロコンピュータブロック１７は、ｉを＋１してステップＳ７の処理に移行し、番号ｉが光ディスク１１内の空き領域の数Ｎ以上であると判断された場合（ＹＥＳ）、処理を終了（ステップＳ９）する。
【００６２】
また、上記ステップＳ４で記録するＤＶＤビデオタイトルが予約記録によって記録されるものでないと判断された場合（ＮＯ）、マイクロコンピュータブロック１７は、ステップＳ１０で、光ディスク１１内の最大のサイズの空き領域を検索する。
【００６３】
そして、このステップＳ１０の後、または、上記ステップＳ７で必要な領域サイズＳが空き領域Ｅ（ｉ）のサイズを越えていないと判断された場合（ＮＯ）、マイクロコンピュータブロック１７は、ステップＳ１１で、記録する空き領域を決定し、その空き領域の開始アドレスを設定し、ステップＳ１２で、ＤＶＤビデオタイトルの記録を実行して、処理を終了（ステップＳ１３）する。
【００６４】
上記した実施の形態によれば、予約記録の場合、記録に必要なサイズを算出し、空き領域の中で最も効率的に記録可能な領域を記録先として設定し、直接録画の場合、最大サイズの空き容量を記録先として設定するようにしたので、１つのＤＶＤビデオタイトルが光ディスク１１上で連続した領域に記録され管理される方式において、光ディスク１１の記録容量の有効利用を図ることができる。
【００６５】
なお、この発明は上記した実施の形態そのままに限定されるものではなく、実施段階ではその要旨を逸脱しない範囲で構成要素を種々変形して具体化することができる。
【００６６】
また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００６７】
【図１】この発明の実施の形態を示すもので、ディスク記録再生装置を説明するために示すブロック構成図。
【図２】同実施の形態における光ディスク上のＤＶＤビデオタイトルのファイル構成を説明するために示す図。
【図３】同実施の形態における複数のＤＶＤビデオタイトルが光ディスクに記録されている状態を説明するために示す図。
【図４】同実施の形態における光ディスクに記録されたＤＶＤビデオタイトルの管理テーブルの一例を説明するために示す図。
【図５】同実施の形態における光ディスクから任意のＤＶＤビデオタイトルを削除した状態を説明するために示す図。
【図６】同実施の形態におけるＤＶＤビデオタイトルの記録及び削除を繰り返したときの光ディスク内のタイトルの配置を説明するために示す図。
【図７】同実施の形態における光ディスクから任意のＤＶＤビデオタイトルを削除した場合の管理テーブル及び参照テーブルを説明するために示す図。
【図８】同実施の形態における光ディスク上に存在する所定の空き領域にＤＶＤビデオタイトルを追記した状態を説明するために示す図。
【図９】同実施の形態におけるＤＶＤビデオタイトルを追記した後の管理テーブルを説明するために示す図。
【図１０】同実施の形態における光ディスク上にサイズの異なる複数の空き領域が存在している状態を説明するために示す図。
【図１１】同実施の形態における記録するタイトルのサイズに応じた記録先の選定手法を説明するために示す図。
【図１２】同実施の形態における記録するタイトルのサイズに応じた記録先の選定動作を説明するために示すフローチャート。
【符号の説明】
【００６８】
１１…光ディスク、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…Ｖミクシング部、２３…セレクタ、２４…表示部、２５…モニタ、２６…キー入力部、２７…ＳＴＣ、２８…フレームメモリ部、２９…Ｉ／Ｆ、３０，３１…Ｄ／Ａ変換器、３２…スピーカ。
【図１】
2005135489.tif 000003
【図２】
2005135489.tif 000004
【図３】
2005135489.tif 000005
【図４】
2005135489.tif 000006
【図５】
2005135489.tif 000007
【図６】
2005135489.tif 000008
【図７】
2005135489.tif 000009
【図８】
2005135489.tif 000010
【図９】
2005135489.tif 000011
【図１０】
2005135489.tif 000012
【図１１】
2005135489.tif 000013
【図１２】
2005135489.tif 000014